(57)【要約】【課題】コスト増を抑制しつつ紙葉類の取り込み不良の発生を抑制することが可能となる紙葉類処理装置を提供する。【解決手段】紙葉類を蹴り出す蹴出ローラと、紙葉類を蹴出ローラに押し付けるビルプレス６１とを有する紙葉類処理装置であって、ビルプレス６１は、蹴出ローラに対し近接および離間するビルプレス本体１２１と、ビルプレス本体１２１の蹴出ローラ側に設けられてビルプレス本体１２１に対し近接および離間する押圧部１２２と、押圧部１２２とビルプレス本体１２１との間に設けられた弾性部１２４と、を有する。【選択図】図１２
2019128896.tif 000002
【特許請求の範囲】
【請求項１】
紙葉類を蹴り出す蹴出ローラと、
紙葉類を前記蹴出ローラに押し付けるビルプレスとを有する紙葉類処理装置であって、
前記ビルプレスは、
前記蹴出ローラに対し近接および離間するビルプレス本体と、
前記ビルプレス本体の前記蹴出ローラ側に設けられて前記ビルプレス本体に対し近接および離間する押圧部と、
前記押圧部を前記ビルプレス本体に対し離間する方向に付勢する弾性部と、を有することを特徴とする紙葉類処理装置。
【請求項２】
前記ビルプレス本体は、前記蹴出ローラ側に、面部と、該面部よりも前記蹴出ローラとは反対側に凹む段差部とを有し、
前記押圧部および前記弾性部は、前記段差部に配置されていることを特徴とする請求項１記載の紙葉類処理装置。
【請求項３】
前記押圧部は、前記弾性部の付勢力で前記面部と面一状になることを特徴とする請求項２記載の紙葉類処理装置。
【請求項４】
前記ビルプレス本体は、前記面部の範囲内に、該面部よりも凹んで前記蹴出ローラが入り込む凹部を有することを特徴とする請求項２または３記載の紙葉類処理装置。
【請求項５】
前記押圧部は、紙葉類の長辺延在方向に離間して一対設けられており、これら一対の押圧部の間に前記面部が配置されていることを特徴とする請求項２乃至４のいずれか一項記載の紙葉類処理装置。
【請求項６】
前記弾性部は、前記ビルプレス本体の移動方向に対し直交方向に広がる板状の弾性部材であり、
前記押圧部は、板状であって、前記ビルプレス本体の移動方向に対し直交方向に広がる状態で前記弾性部の前記蹴出ローラ側に配置されていることを特徴とする請求項１乃至５のいずれか一項記載の紙葉類処理装置。
【請求項７】
前記押圧部に部分的に前記弾性部が設けられていることを特徴とする請求項６記載の紙葉類処理装置。
【発明の詳細な説明】
【技術分野】
【０００１】
本発明は、紙葉類処理装置に関する。
【背景技術】
【０００２】
入金部にセットされた紙幣を装置内へ取り込み、識別部によって識別された紙幣を一時保留部に一時的に保留させて、各種処理が終了した後に紙幣を一時保留部から収納部等に搬送して収納する紙幣処理装置が知られている。このような装置の中には、入金部に集積状態で投入された紙幣の最下部のものを載置板で支持し、この載置板が、紙幣の取り込み時に、上方へ移動しながら最上部の紙幣を取り込み可能位置へ移動させるものがある（例えば、特許文献１参照）。
【０００３】
また、上記方式と異なり、集積状態にある紙幣を最下部のものから順に取り込む装置がある。このような装置の中には、取り込みの際に紙幣を上方から押圧する紙幣プレス機構を備えるものがある。このような紙幣プレス機構として、紙幣を載置させる載置板と、紙幣を上方より載置板側へ押圧する押圧板とを備え、さらに押圧板を、紙幣の送給方向（取り込み方向）と略同方向に向き得る軸を中心に回動自在に設け、さらに紙幣の送給方向と略直交する方向に向く軸を中心に回動自在に設けるものがある（例えば、特許文献２参照）。これにより機内へ紙幣を取り込む際には、押圧板を作動させて紙幣を押圧するとともに、押圧板が集積紙幣の上層部の紙幣に沿って自由に回動し、構成部材の損傷、紙幣の斜行等の送給不良および紙幣の計数不良等の発生を防止することが可能になっている。
【先行技術文献】
【特許文献】
【０００４】
【特許文献１】特開２０１７−２７１９８号公報
【特許文献２】特開平３−９５０３４号公報
【発明の概要】
【発明が解決しようとする課題】
【０００５】
特許文献１の紙幣処理装置は、紙幣を装置内部へ取り込む際に、集積紙幣に部分的な厚みの差があると、押圧する部分と押圧しない部分とが生じるため、紙幣の姿勢が斜行状態となり取り込み不良（ジャム）を発生する可能性がある。また、特許文献２の紙幣処理装置は、紙幣を装置内部へ取り込む際に、集積紙幣に部分的な厚みの差があると、それに合わせて押圧板が傾斜できるものの、コスト増になってしまう。
【０００６】
したがって、本発明は、コスト増を抑制しつつ紙葉類の取り込み不良の発生を抑制することが可能な紙葉類処理装置の提供を目的とする。
【課題を解決するための手段】
【０００７】
上記目的を達成するために、本発明に係る第１の態様は、紙葉類を蹴り出す蹴出ローラと、紙葉類を前記蹴出ローラに押し付けるビルプレスとを有する紙葉類処理装置であって、前記ビルプレスは、前記蹴出ローラに対し近接および離間するビルプレス本体と、前記ビルプレス本体の前記蹴出ローラ側に設けられて前記ビルプレス本体に対し近接および離間する押圧部と、前記押圧部と前記ビルプレス本体との間に設けられた弾性部と、を有することを特徴とする。
【０００８】
上記第１の態様によれば、ビルプレスで集積紙葉類を蹴出ローラに押圧する際に、ビルプレス本体を蹴出ローラに近づけると、ビルプレス本体の蹴出ローラ側に設けられた押圧部が集積紙葉類を蹴出ローラ側に押圧する。その際に、集積紙葉類に部分的な厚みの差があっても、それに応じて弾性部が変形して、この部分的な厚みの差を吸収することになる。これにより、押圧部が集積紙葉類に良好に当接して集積紙葉類を良好に押圧することになる。よって、取り込み不良の発生を抑制することが可能となる。しかも、ビルプレス本体に押圧部を移動可能に設けて、この押圧部を弾性部で付勢する構造であるため、構造の簡素化が図れ、コスト増の抑制が図れる。
【０００９】
本発明に係る第２の態様は、第１の態様において、前記ビルプレス本体は、前記蹴出ローラ側に、面部と、該面部よりも前記蹴出ローラとは反対側に凹む段差部とを有し、前記押圧部および前記弾性部は、前記段差部に配置されていることを特徴とする。
【００１０】
上記第２の態様によれば、ビルプレス本体の蹴出ローラ側に設けられた面部と、ビルプレス本体のこの面部よりも凹む段差部に設けられた押圧部とで、集積紙葉類を蹴出ローラ側に押圧する。よって、例えば、集積紙葉類の厚い部分を押圧部で、薄い部分をビルプレス本体の面部で押圧することによって押圧力の部分差を抑制することが可能になる。これにより、取り込み不良の発生を一層抑制することが可能となる。
【００１１】
本発明に係る第３の態様は、第２の態様において、前記押圧部は、前記弾性部の付勢力で前記面部と面一状になることを特徴とする。
【００１２】
上記第３の態様によれば、押圧部が、弾性部の付勢力で面部と面一状になるため、集積紙葉類に厚さの部分差が少ない場合についても、押圧力の部分差を抑制することが可能になる。
【００１３】
本発明に係る第４の態様は、第２または第３の態様において、前記ビルプレス本体は、前記面部の範囲内に、該面部よりも凹んで前記蹴出ローラが入り込む凹部を有することを特徴とする。
【００１４】
上記第４の態様によれば、蹴出ローラに対する位置が安定しているビルプレス本体の面部の範囲内に、蹴出ローラが入り込む凹部を設けているため、ビルプレス本体の凹部と蹴出ローラとで紙葉類を円滑に蹴り出すことができる。
【００１５】
本発明に係る第５の態様は、第２乃至第４のいずれか一態様において、前記押圧部は、紙葉類の長辺延在方向に離間して一対設けられており、これら一対の押圧部の間に前記面部が配置されていることを特徴とする。
【００１６】
上記第５の態様によれば、紙葉類の長辺延在方向に離間して一対設けられた押圧部で紙葉類の長辺延在方向の両側を押圧し、これらの間のビルプレス本体の面部で紙葉類の長辺延在方向の中間部を押圧することができる。したがって、集積紙葉類において厚い部分が紙葉類の長辺延在方向の端部側に生じ易い場合に、取り込み不良の発生を効果的に抑制することが可能となる。
【００１７】
本発明に係る第６の態様は、第２乃至第５のいずれか一態様において、前記弾性部は、前記ビルプレス本体の移動方向に対し直交方向に広がる板状の弾性部材であり、前記押圧部は、板状であって、前記ビルプレス本体の移動方向に対し直交方向に広がる状態で前記弾性部の前記蹴出ローラ側に配置されていることを特徴とする。
【００１８】
上記第６の態様によれば、弾性部が、ビルプレス本体の移動方向に対し直交方向に広がる板状の弾性部材であり、押圧部が、板状であって、ビルプレス本体の移動方向に対し直交方向に広がる状態で弾性部の蹴出ローラ側に配置されているため、より簡素な構造になり、コスト増の一層の抑制が図れる。
【００１９】
本発明に係る第７の態様は、第６の態様において、前記押圧部に部分的に前記弾性部が設けられていることを特徴とする。
【００２０】
上記第７の態様によれば、押圧部に部分的に弾性部が設けられているため、押圧部の傾斜を調整することができる。
【発明の効果】
【００２１】
本発明によれば、コスト増を抑制しつつ紙葉類の取り込み不良の発生を抑制することが可能な紙葉類処理装置を提供することができる。
【図面の簡単な説明】
【００２２】
【図１】本発明に係る一実施形態の紙葉類処理装置を概略的に示す側面図である。
【図２】本発明に係る一実施形態の紙葉類処理装置を概略的に示す側面図であって、（ａ）は入金処理ルートを太線で、（ｂ）は収納処理ルートを太線で示すものである。
【図３】本発明に係る一実施形態の紙葉類処理装置を概略的に示す側面図であって、返却処理ルートを太線で示すものである。
【図４】本発明に係る一実施形態の紙葉類処理装置を概略的に示す側面図であって、出金処理ルートを太線で示すものである。
【図５】本発明に係る一実施形態の紙葉類処理装置の投入部を示す斜視図である。
【図６】本発明に係る一実施形態の紙葉類処理装置の投入部を示す断面図である。
【図７】本発明に係る一実施形態の紙葉類処理装置の支持部材を示す斜視図である。
【図８】本発明に係る一実施形態の紙葉類処理装置の支持部材を示す断面図である。
【図９】本発明に係る一実施形態の紙葉類処理装置の異物シュートを示す斜視図である。
【図１０】本発明に係る一実施形態の紙葉類処理装置のビルプレスを示す斜視図である。
【図１１】本発明に係る一実施形態の紙葉類処理装置のビルプレス本体と弾性部とを示す片側平面図である。
【図１２】本発明に係る一実施形態の紙葉類処理装置のビルプレスを示す片側平面図である。
【図１３】本発明に係る一実施形態の紙葉類処理装置で処理する紙幣を示す平面図である。
【図１４】本発明に係る一実施形態の紙葉類処理装置で処理する紙幣を示す部分拡大断面図である。
【発明を実施するための形態】
【００２３】
本発明に係る一実施形態の紙葉類処理装置を図面を参照して以下に説明する。本実施形態に係る紙葉類処理装置１０は、紙葉類としての紙幣を処理するものである。勿論、紙幣以外の紙葉類を処理するものであっても良い。紙葉類処理装置１０は、外部から投入された紙幣を内部に収納する入金処理と、内部に収納されている紙幣を外部に取り出し可能に出金する出金処理とが可能な紙幣入出金装置である。なお、以下の説明における「前」は操作者側を、「後」は操作者とは反対側を、「左」は操作者から見て左を、「右」は操作者から見て右を示す。
【００２４】
図１に示すように、紙葉類処理装置１０の前面側の上部には、入金用の紙幣が外部から投入される投入部１１が設けられており、この投入部１１の上方かつ後方に、入金用の紙幣のうち受け入れ不可なリジェクト紙幣が内部から繰り出されるとともに出金用の紙幣が内部から繰り出され、これらを外部に取り出し可能とする払出部１２が設けられている。投入部１１と払出部１２とは、高さ方向の位置を重ね合わせて設けられており、前後方向の位置も重ね合わせて設けられている。紙葉類処理装置１０の上面の払出部１２の後方には操作者の操作入力を受け付けるとともに操作者に対し表示を行うタッチパネル式の操作表示部１４が設けられている。
【００２５】
投入部１１の後方には、紙幣を識別する識別部１７が投入部１１と高さ方向の位置を重ね合わせて設けられており、この識別部１７の後方には、識別部１７により識別された紙幣を一時貯留させる一時貯留部１８が投入部１１および識別部１７と高さ方向の位置を重ね合わせて設けられている。投入部１１の下部と識別部１７の上部とが高さ方向の位置を重ね合わせており、投入部１１の上部と識別部１７の下部とは高さ方向の位置をずらしている。識別部１７の全体と一時貯留部１８の中間部から下部とが高さ方向の位置を重ね合わせており、一時貯留部１８の上部は識別部１７に対し高さ方向の位置をずらしている。一時貯留部１８は、その上部が払出部１２の下部と高さ方向の位置を重ね合わせている。投入部１１と識別部１７と一時貯留部１８とが、装置前方から後方に向けて、投入部１１、識別部１７、一時貯留部１８の順に配置されている。投入部１１と識別部１７とは前後方向の位置を完全にずらしており、識別部１７と一時貯留部１８とは前後方向の位置を完全にずらしている。
【００２６】
投入部１１には、載置板１９が後下がりの姿勢で設けられており、この載置板１９は、投入部１１内で後上がりの方向に上昇し前下がりの方向に下降する。下降状態にある載置板１９上に集積状態の紙幣が外部から載置されることになり、載置板１９上に載置された紙幣は後上がりの方向に集積された状態となる。載置板１９は上昇して集積状態の紙幣を後上がりの方向に搬送し、集積状態の紙幣を集積方向の上端のものから一枚ずつ紙葉類処理装置１０の内部に繰り出す。
【００２７】
投入部１１には、その後端部に、投入部１１から繰り出された紙幣を搬送する入金搬送路２１Ａが接続されている。入金搬送路２１Ａは、投入部１１から後下がりに延出する傾斜送路部２１Ａａと、傾斜送路部２１Ａａの後端から水平後方に延出する水平送路部２１Ａｂとを有している。入金搬送路２１Ａは、水平送路部２１Ａｂの後端部において識別部１７に接続されている。
【００２８】
識別部１７は、入金搬送路２１Ａの水平送路部２１Ａｂと同一直線上に配置されて水平送路部２１Ａｂの後端部から水平後方に延出する内部搬送路２１Ｂを有している。内部搬送路２１Ｂは、水平送路部２１Ａｂから引き続き後方に紙幣を搬送する。識別部１７は、内部搬送路２１Ｂで搬送中の紙幣の真偽、正損、金種、重送、斜行等を識別する。
【００２９】
識別部１７の内部搬送路２１Ｂの後端部からは水平後方に直線搬送路２１Ｃが延出しており、この直線搬送路２１Ｃの後端部が一時貯留部１８に接続されている。直線搬送路２１Ｃは、内部搬送路２１Ｂから引き続き後方に紙幣を搬送する。入金搬送路２１Ａの水平送路部２１Ａｂと内部搬送路２１Ｂと直線搬送路２１Ｃとは同一直線上で一直線に並んでおり、識別部１７と一時貯留部１８とが一直線の直線搬送路２１Ｃで接続されている。例えば、投入部１１に投入された紙幣が、投入部１１から入金搬送路２１Ａで識別部１７に向けて搬送され、識別部１７で識別後に直線搬送路２１Ｃで一時貯留部１８に搬送される。上記のように識別部１７と一時貯留部１８とは高さ方向の位置を重ね合わせており、直線搬送路２１Ｃが横方向、具体的には水平方向に延在して、これらを結んでいる。
【００３０】
一時貯留部１８は、紙幣を一時貯留させるもので、直線搬送路２１Ｃで搬送されてきた紙幣を一枚ずつ取り込んで収納し、収納している紙幣を一枚ずつ直線搬送路２１Ｃに繰り出す。この一時貯留部１８は、紙幣をテープとともにドラムに巻き付けて収納し紙幣をテープとともにドラムから解いて繰り出す巻付収納タイプとなっている。
【００３１】
直線搬送路２１Ｃの中間位置からは出金搬送路２１Ｄが上方に分岐しており、この出金搬送路２１Ｄが払出部１２に接続されている。出金搬送路２１Ｄが分岐することによって、直線搬送路２１Ｃは、出金搬送路２１Ｄの分岐位置から前側の前側送路部２１Ｃａと、出金搬送路２１Ｄの分岐位置から後側の後側送路部２１Ｃｂとに分けられる。前側送路部２１Ｃａと後側送路部２１Ｃｂとの間は紙幣の行き来が可能であり、前側送路部２１Ｃａと出金搬送路２１Ｄとの間は前側送路部２１Ｃａから出金搬送路２１Ｄへの紙幣の搬送が可能であり、後側送路部２１Ｃｂと出金搬送路２１Ｄとの間は後側送路部２１Ｃｂから出金搬送路２１Ｄへの紙幣の搬送が可能である。
【００３２】
出金搬送路２１Ｄは、直線搬送路２１Ｃで搬送されてきた紙幣を払出部１２に搬送するもので、直線搬送路２１Ｃの中間位置から鉛直上方に延出する鉛直送路部２１Ｄａと、鉛直送路部２１Ｄａの上端部から水平前方に延出する水平送路部２１Ｄｂと、水平送路部２１Ｄｂの前端部から鉛直上方に延出する鉛直送路部２１Ｄｃと、鉛直送路部２１Ｄｃの上端部から水平前方に延出して払出部１２に繋がる水平送路部２１Ｄｄとを有している。
【００３３】
ここで、払出部１２は、出金搬送路２１Ｄの水平送路部２１Ｄｄから繰り出された紙幣を前側かつ下側から後側かつ上側に斜めに集積させる。払出部１２に集積された紙幣は、払出部１２から外部に取り出される。出金搬送路２１Ｄは、例えば、一時貯留部１８から直線搬送路２１Ｃに繰り出された紙幣を直線搬送路２１Ｃの途中から上方に分岐搬送して払出部１２に放出する。
【００３４】
投入部１１、払出部１２、操作表示部１４、内部搬送路２１Ｂを含む識別部１７、一時貯留部１８、入金搬送路２１Ａ、直線搬送路２１Ｃおよび出金搬送路２１Ｄは、紙葉類処理装置１０の上部を構成する上部ユニット２５に設けられている。
【００３５】
上部ユニット２５の下側にあって紙葉類処理装置１０の高さ方向の中間部から下部を構成する下部ユニット２６には、前部位置に前方カセット３１が設けられており、前方カセット３１の後方に、上下２段、前後４列の合計８台の収納庫３２が設けられている。８台の収納庫３２のうち、上段の４台は高さ方向の位置を一致させており、下段の４台も高さ方向の位置を一致させている。前方カセット３１の高さは、収納庫３２の２台分の高さと同等であり、前方カセット３１は、上下２段の収納庫３２と高さ方向の位置を重ね合わせている。
【００３６】
入金搬送路２１Ａの水平送路部２１Ａｂの中間位置からは上下搬送路２１Ｅが下方に分岐しており、この上下搬送路２１Ｅが、水平送路部２１Ａｂから鉛直下方に延出して前方カセット３１に接続されている。上下搬送路２１Ｅが分岐することによって、入金搬送路２１Ａの水平送路部２１Ａｂは、上下搬送路２１Ｅの分岐位置から前側の前側構成部２１Ａｂ１と、上下搬送路２１Ｅの分岐位置から後側の後側構成部２１Ａｂ２とに分けられる。前側構成部２１Ａｂ１と後側構成部２１Ａｂ２との間は、前側構成部２１Ａｂ１から後側構成部２１Ａｂ２への紙幣の搬送が可能であり、上下搬送路２１Ｅと後側構成部２１Ａｂ２との間は紙幣の行き来が可能である。上下搬送路２１Ｅは、例えば、一時貯留部１８から直線搬送路２１Ｃに繰り出され識別部１７を通過後の紙幣を識別部１７の直線搬送路２１Ｃとは反対側の入金搬送路２１Ａの途中から下方に分岐搬送して前方カセット３１に収納させる。
【００３７】
前方カセット３１は、紙幣を一枚ずつ取り込んで収納可能であり、収納している紙幣を一枚ずつ繰り出し可能となっている。前方カセット３１は、紙幣を上部から受け入れて水平状態で下から上に集積させて収納するとともに収納している紙幣を上端部のものから繰り出す集積収納タイプとなっている。集積収納タイプの前方カセット３１は、一時貯留部１８および後述する収納庫３２のような巻付収納タイプに比べて紙幣の収納効率が大幅に高い。
【００３８】
上下搬送路２１Ｅの中間位置からは、収納搬送路２１Ｆが後方に分岐している。この収納搬送路２１Ｆは、上下搬送路２１Ｅから水平後方に延出した後、紙葉類処理装置１０の後端部付近で下方に延出して後端上段の収納庫３２に接続されており、この収納庫３２を介して後端の下段の収納庫３２にも接続されている。収納搬送路２１Ｆが分岐することによって、上下搬送路２１Ｅは、収納搬送路２１Ｆの分岐位置から上側の上側送路部２１Ｅａと、収納搬送路２１Ｆの分岐位置から下側の下側送路部２１Ｅｂとに分けられる。
【００３９】
収納搬送路２１Ｆの中間位置からは、複数具体的には３カ所の分岐搬送路２１Ｇ，２１Ｈ，２１Ｉが下方に分岐している。分岐搬送路２１Ｇ，２１Ｈ，２１Ｉは、前側３列の上段の収納庫３２に接続されており、各上段の収納庫３２を介して、それぞれの同列下段の収納庫３２に接続されている。
【００４０】
８台の収納庫３２は、いずれも、紙幣をテープとともにドラムに巻き付けて収納し紙幣をテープとともにドラムから解いて繰り出す巻付収納タイプとなっており、紙幣を計数しながら繰り出す。巻付収納タイプの収納庫３２は、紙幣を受け入れた順番に収納し、収納順とは逆の順番で繰り出すことになる。このため、１台に複数金種の紙幣をランダムに混合して収納する場合であっても、識別部１７の識別結果から収納する各紙幣の金種を把握可能となっており、よって、繰り出す各紙幣の金種を把握可能となっている。
【００４１】
収納搬送路２１Ｆおよび分岐搬送路２１Ｇ，２１Ｈ，２１Ｉは、例えば、一時貯留部１８から直線搬送路２１Ｃに繰り出され識別部１７を通過後の紙幣を上下搬送路２１Ｅの途中から後方に分岐搬送して８台の収納庫３２に選択的に収納させる。８台の収納庫３２は、例えば、８台全部を、それぞれが設定された単一金種の紙幣のみを収納する単金種収納庫に設定したり、そのうちの何台かを、それぞれが設定された単一金種の紙幣のみを収納する単金種収納庫に設定し、残りを、それぞれ複数金種の紙幣を金種混合で収納する金種混合収納庫に設定したりすることができる。
【００４２】
下部ユニット２６には、前方カセット３１と、８台の収納庫３２と、上下搬送路２１Ｅの上側送路部２１Ｅａの下部と、下側送路部２１Ｅｂと、収納搬送路２１Ｆと、分岐搬送路２１Ｇ〜２１Ｉとが設けられている。上下搬送路２１Ｅの上側送路部２１Ｅａの上部は上部ユニット２５に設けられている。
【００４３】
下部ユニット２６は、前方に開口する直方体の箱状の筐体３５と、８台の収納庫３２が設けられて筐体３５内に配置されるユニット本体３６と、筐体３５の前部開口を開閉する蓋体３７とを有している。前方カセット３１は、ユニット本体３６に対し着脱可能に設けられている。
【００４４】
次に、本実施形態に係る紙葉類処理装置１０の主な作動について説明する。
【００４５】
「入金処理」
投入部１１に外部から紙幣が投入されて、操作表示部１４に入金処理開始の操作が入力されると、図２（ａ）に太線で示す入金処理ルートで紙幣を搬送する。つまり、投入部１１が紙幣を一枚ずつ分離して繰り出し、繰り出された紙幣を、入金搬送路２１Ａ、識別部１７の内部搬送路２１Ｂおよび直線搬送路２１Ｃの前側送路部２１Ｃａが搬送する。内部搬送路２１Ｂでの搬送中に、識別部１７が紙幣を識別することになり、識別部１７が受け入れ可能と識別した紙幣を、直線搬送路２１Ｃの前側送路部２１Ｃａから後側送路部２１Ｃｂが一時貯留部１８に搬送し、一時貯留部１８が一時貯留させる（図２（ａ）の太実線参照）。他方、識別部１７が受け入れ不可と識別した紙幣は、直線搬送路２１Ｃの前側送路部２１Ｃａから出金搬送路２１Ｄが払出部１２に搬送する（図２（ａ）の太実線から太破線参照）。
【００４６】
ここで、投入部１１は厚さ方向に集積された状態の紙幣を分離して繰り出すものであるため、繰り出し時に、重送、斜行等の搬送不良を生じる可能性がある。このような搬送不良の紙幣も識別部１７が受け入れ不可と識別して払出部１２に搬送させる。投入部１１に投入された紙幣をすべて一時貯留部１８および払出部１２のいずれかに搬送した状態になると、識別部１７の識別結果から一時貯留部１８に一時貯留させている紙幣の金種別の枚数および総額等の金額情報を操作表示部１４が表示する。払出部１２に搬送された紙幣は、外部に取り出し可能となる。
【００４７】
「収納処理」
入金処理後の金額情報の操作表示部１４の表示後、操作者が操作表示部１４に承認操作を入力すると、図２（ｂ）に太線で示す収納処理ルートで紙幣を搬送する。つまり、一時貯留させていた紙幣を一時貯留部１８が繰り出し、直線搬送路２１Ｃ、識別部１７の内部搬送路２１Ｂ、入金搬送路２１Ａの後側構成部２１Ａｂ２、上下搬送路２１Ｅの上側送路部２１Ｅａおよび収納搬送路２１Ｆが搬送する。内部搬送路２１Ｂでの搬送中に、識別部１７が紙幣を識別することになり、その結果に基づいて、収納搬送路２１Ｆおよび分岐搬送路２１Ｇ〜２１Ｉの適宜のものが８台の収納庫３２の対応するものに紙幣を振り分ける。振り分けられた紙幣を８台の収納庫３２の対応するものが収納する。
【００４８】
ここで、一時貯留部１８は巻付収納タイプであるため、繰り出し時に、重送、斜行等の搬送不良を生じることが基本的になく、一時貯留部１８が繰り出した紙幣に識別部１７で収納不可と判断されるものは基本的にはない。
【００４９】
「返却処理」
入金処理後の金額情報の操作表示部１４の表示後、操作者が操作表示部１４に返却操作を入力すると、図３に太線で示す返却処理ルートで紙幣を搬送する。つまり、一時貯留させていた紙幣を、一時貯留部１８が繰り出し、直線搬送路２１Ｃの後側送路部２１Ｃｂおよび出金搬送路２１Ｄで払出部１２に搬送する。払出部１２に搬送された紙幣は、外部に取り出し可能となる。
【００５０】
「出金処理」
操作表示部１４に、出金させる紙幣の金額情報とともに出金処理の選択操作が入力されると、単金種収納庫に設定された収納庫３２から紙幣を出金する場合は、出金対象金種の紙幣が収納された収納庫３２から図４に太線で示す出金処理ルートで紙幣を搬送する。つまり、収納庫３２のうちの対応するものが、収納していた紙幣を計数しつつ繰り出し、繰り出された紙幣を、分岐搬送路２１Ｇ〜２１Ｉの適宜のもの、収納搬送路２１Ｆ、上下搬送路２１Ｅの上側送路部２１Ｅａ、入金搬送路２１Ａの後側構成部２１Ａｂ２、識別部１７の内部搬送路２１Ｂ、直線搬送路２１Ｃの前側送路部２１Ｃａおよび出金搬送路２１Ｄが払出部１２に搬送する。ここで、収納庫３２はすべて巻付収納タイプであるため、繰り出し時に、重送、斜行等の搬送不良を生じることが基本的になく、収納庫３２が繰り出した紙幣に識別部１７で出金不可と判断されるものは基本的にない。払出部１２に搬送された紙幣は、外部に取り出し可能となる。
【００５１】
次に、投入部１１について、図５〜図１４を参照して説明する。
【００５２】
図５に示すように、投入部１１は、左右方向に長い横長の略長方形状の開口部５１を有している。開口部５１は、図６に示すように、前方かつ上方に斜めに開口しており、投入部１１は、開口部５１から後下がりに凹んでいる。開口部５１は、紙葉類処理装置１０の外部に開口する。
【００５３】
投入部１１は、開口部５１の上縁部を前縁部が形成する取込機構部５２と、開口部５１の下縁部を前縁部が形成する底壁部５３と、開口部５１の左右両縁部を前縁部が形成する一対の側壁部５４と、取込機構部５２、底壁部５３および一対の側壁部５４で囲まれた部分の開口部５１とは反対側を閉塞するように設けられた支持部５５とを有している。また、投入部１１は、取込機構部５２、底壁部５３および一対の側壁部５４で囲まれた部分の内側に設けられたビルプレス６１と、支持部５５から落下する、紙幣以外の異物を案内する異物シュート６２と、異物シュート６２で案内されて落下する異物を収容する受皿６３と、開口部５１を開閉するシャッタ６４と、を有している。
【００５４】
取込機構部５２は、開口部５１の上縁部から後下がりに延出して底壁部５３に対向する略平面状の天井面７１を有する天井部７２と、天井部７２の開口部５１とは反対側の中間部分から天井面７１よりも前下方向に一部突出する蹴出ローラ７５と、蹴出ローラ７５の後下方向に並んで設けられた繰出ローラ７６と、繰出ローラ７６の前下方向に並んで設けられた分離ローラ７７とを有している。天井面７１の後方への延長方向に入金搬送路２１Ａの傾斜送路部２１Ａａが配置されている。蹴出ローラ７５は左右方向に離間して複数、具体的には２つ設けられている。繰出ローラ７６も左右方向に離間して複数設けられており、分離ローラ７７も左右方向に離間して複数設けられている。
【００５５】
支持部５５は、分離ローラ７７の上端部近傍から前下がりに延出して開口部５１側に向く略平面状の支持面８１を有する支持部材８２を有している。図５に示すように、支持面８１は左右方向に長い横長の略長方形状である。図７に示すように、支持部材８２は、支持面８１を有する略長方形状の支持部５５と、支持面８１の長辺側の一縁部から斜めに広がる案内面８４を有する案内部８５とを有している。支持部５５には、異物落下孔９０が、支持面８１の長辺延在方向に並んで複数、具体的には４箇所形成されている。図８に示すように、異物落下孔９０は、支持部５５を厚さ方向に貫通している。図７に示すように、隣り合う異物落下孔９０の間が、支持面８１の短辺延在方向に延びるガイド部９２となっている。ガイド部９２が複数、具体的には３箇所形成されている。図６に示すように、案内面８４は、入金搬送路２１Ａの傾斜送路部２１Ａａの一部を構成する。
【００５６】
異物シュート６２は支持部５５の下方に設けられており、異物シュート６２の下方に受皿６３が設けられている。異物シュート６２は、異物落下孔９０から落下する異物を案内する。受皿６３は、異物シュート６２で案内されて落下する異物を収容する。異物シュート６２は、図９に示すように、前下がりに広がるガイド後壁１０１と、ガイド後壁１０１の前側に配置されたガイド前壁１０２と、これらガイド後壁１０１およびガイド前壁１０２の左右方向の同側同士を結ぶ一対のガイド側壁１０３とを有している。一対のガイド側壁１０３は下部側が互いの間隔を狭くするように傾斜している。
【００５７】
異物シュート６２は、ガイド後壁１０１、ガイド前壁１０２および一対のガイド側壁１０３の上縁部が上部開口１０６を形成し、ガイド後壁１０１、ガイド前壁１０２および一対のガイド側壁１０３の下縁部が下部開口１０７を形成している。上部開口１０６よりも下部開口１０７の方が前後方向および左右方向に狭くなっている。下部開口１０７は水平に広がっており、左右方向に長い横長の矩形状をなしている。異物シュート６２の上部開口１０６の水平方向の内側範囲内に、図７に示すすべての異物落下孔９０が配置される。図６に示す受皿６３の水平方向の内側範囲内に、異物シュート６２の下部開口１０７が配置される。
【００５８】
図６に示すように、底壁部５３は、取込機構部５２の天井面７１と略平行をなして対向する略平面状の底壁面１１１を有しており、図５に示すように、一対の側壁部５４は、互いに略平行をなして対向する側壁面１１２をそれぞれ有している。取込機構部５２の天井面７１と、支持部５５の支持面８１と、底壁部５３の底壁面１１１と、一対の側壁部５４の一対の側壁面１１２とが、開口部５１から後下がりに凹む受入空間１１５を形成している。
【００５９】
ビルプレス６１は、左右方向に長い横長の略長方形状であり、図６に示すように、取込機構部５２の天井面７１と底壁部５３の底壁面１１１とに略平行をなしていて、これらの間で図６に矢印Ｘで示すように往復移動する。ビルプレス６１は、支持部５５の支持面８１上を、この支持面８１に沿って移動する。
【００６０】
投入部１１には、受入空間１１５に集積紙幣ＢＢが投入されることになるが、具体的には、開口部５１を介して取込機構部５２とビルプレス６１との間に集積紙幣ＢＢが投入される。その際に集積紙幣ＢＢは、各紙幣Ｂの長辺が一対の側壁部５４を結ぶ方向に延び、紙幣Ｂの集積方向が取込機構部５２とビルプレス６１とを結ぶ方向となる状態で、各紙幣Ｂの一方の長辺を支持部５５の支持面８１に当接させて、ビルプレス６１に載置される。その際に、集積紙幣ＢＢは、集積方向一端部の紙幣Ｂがビルプレス６１に当接する。
【００６１】
この状態で、ビルプレス６１が図示略のビルプレス駆動部で取込機構部５２の方向に移動させられると、集積紙幣ＢＢの取込機構部５２側の集積方向他端部の紙幣Ｂが蹴出ローラ７５に接触する。このようにして、ビルプレス６１が紙幣Ｂを蹴出ローラ７５に押し付ける。そして、蹴出ローラ７５および繰出ローラ７６が図示略の繰出駆動部に駆動されると、蹴出ローラ７５が、集積紙幣ＢＢの取込機構部５２側の端部の紙幣Ｂを蹴り出すことになり、蹴り出された紙幣Ｂを繰出ローラ７６および分離ローラ７７が一枚ずつに分離して、入金搬送路２１Ａの傾斜送路部２１Ａａに繰り出す。
【００６２】
ビルプレス６１は、図１０に示すように、左右方向、すなわち載置される紙幣Ｂの長辺延在方向に長い横長のビルプレス本体１２１と、ビルプレス本体１２１の長手方向の両側、すなわち載置される紙幣Ｂの長辺延在方向の両側に配置される一対の押圧部１２２と、図１１，図１２に示すようにビルプレス本体１２１と押圧部１２２との間に設けられる弾性部１２４とを有している。弾性部１２４は、一対の押圧部１２２とビルプレス本体１２１との間にそれぞれ設けられており、対応する押圧部１２２をビルプレス本体１２１に対し近接離間可能に支持する。
【００６３】
ビルプレス６１は、図６に示すように、ビルプレス本体１２１が、図示略のビルプレス駆動部に駆動されて天井面７１と底壁面１１１との間で支持面８１に沿って往復移動する。すなわち、ビルプレス本体１２１が蹴出ローラ７５に対し近接および離間する。ビルプレス本体１２１は、天井面７１および底壁面１１１に対する角度関係（略平行）は一定に維持したまま、支持面８１に沿って直線状に移動する。
【００６４】
また、ビルプレス６１は、図１０に示す一対の押圧部１２２が、ビルプレス本体１２１の図６に示す蹴出ローラ７５側に設けられている。一対の押圧部１２２は、ビルプレス本体１２１に対し近接および離間する。図１１，図１２に示す弾性部１２４は、押圧部１２２をビルプレス本体１２１に対し離間する方向に付勢する。
【００６５】
ビルプレス本体１２１は、図１０に示すように、左右方向に長い横長の略長方形状の本体部１３１と、本体部１３１の一方の長辺側から短辺延在方向に沿って突出する一対の前方突出部１３２と、本体部１３１の両短辺側から長辺に沿って突出する一対の側方突出部１３３とを有している。一対の前方突出部１３２は、本体部１３１の長辺延在方向の両側に設けられている。一対の側方突出部１３３は、本体部１３１の短辺延在方向における一対の前方突出部１３２とは反対側に設けられている。
【００６６】
ビルプレス本体１２１は、図６に示すように、天井部７２側に、天井面７１と略平行をなして天井面７１に対向する平坦な面部１４１を有している。面部１４１は、図５に示すようにビルプレス本体１２１の長手方向における中央部に設けられた凸状部１４２に配置されている。ビルプレス本体１２１は、その長手方向における凸状部１４２の両側に設けられた、面部１４１よりも天井部７２とは反対方向に凹む段差部１４３を有している。言い換えれば、ビルプレス本体１２１は、蹴出ローラ７５側に、面部１４１と、面部１４１よりも蹴出ローラ７５とは反対側に凹む一対の段差部１４３とを有している。
【００６７】
図１０に示すように、段差部１４３は、面部１４１と平行な底面１４５を有する段差本体部１４６と、図１１に示すように、段差本体部１４６の一端部に設けられて底面１４５よりもさらに凹む凹状部１４７と、凹状部１４７の底部の一端部を貫通する貫通穴１４８とを有している。凹状部１４７は左右方向に長い横長の長方形状であり、貫通穴１４８も左右方向に長い横長の長方形状である。凹状部１４７は、前方突出部１３２の範囲内に形成されており、貫通穴１４８は、前方突出部１３２の本体部１３１からの突出方向における凹状部１４７の端部に形成されている。
【００６８】
図１０に示すように、面部１４１を有する凸状部１４２は、本体部１３１と一対の前方突出部１３２の本体部１３１側とに形成されている。両側の段差部１４３は、本体部１３１と一対の前方突出部１３２の本体部１３１側と一対の側方突出部１３３とに形成されている。
【００６９】
一対の前方突出部１３２には、図５に示す天井部７２側に、支持部５５から離れるほど天井面７１から離間するように傾斜する前方傾斜面１４９が形成されている。これらの前方傾斜面１４９は、相互近接側が面部１４１に繋がっている。
【００７０】
図１０に示すように、ビルプレス本体１２１には、凸状部１４２の面部１４１の範囲内に、面部１４１よりも図６に示す天井部７２とは反対側に凹む凹部１５１が設けられている。凹部１５１は、面部１４１の一対の前方突出部１３２とは反対側に形成されている。図１０に示すように、一方の凹部１５１が一方の段差部１４３に近接し、他方の凹部１５１が他方の段差部１４３に近接している。凹部１５１は、底面が円筒面状であり、ビルプレス本体１２１が図６に示す天井部７２側に移動すると、天井面７１から突出する蹴出ローラ７５の一部を入り込ませる。
【００７１】
図１０に示すように、ビルプレス本体１２１には、本体部１３１の一対の前方突出部１３２とは反対側の端縁部に、この端縁部よりも一対の前方突出部１３２側に凹むガイド溝１５５が形成されている。ガイド溝１５５は本体部１３１の長辺延在方向に並んで複数、具体的には３箇所設けられている。ガイド溝１５５内には、図７に示す支持部材８２のガイド部９２が、それぞれ配置される。これにより、ビルプレス本体１２１は、異物落下孔９０に一部入り込んだ状態となる。
【００７２】
図１１に示す弾性部１２４は、段差部１４３の底面１４５に貼着されている。弾性部１２４の底面１４５への貼着は、例えば両面テープで行われている。弾性部１２４は、弾性を有するもので、板状をなす一定厚さ（例えば５ｍｍ）の合成樹脂製のスポンジからなっている。弾性部１２４は、段差本体部１４６の凸状部１４２側の端縁部１４６ａに当接する端縁部１２４ａと、端縁部１２４ａの凸状部１４２とは反対側の端縁部１２４ｂとを有している。これら端縁部１２４ａおよび端縁部１２４ｂは平行をなしている。弾性部１２４は、端縁部１２４ｂが段差部１４３の左右方向の中間部に設けられており、段差部１４３の凸状部１４２側の一部を覆っている。弾性部１２４は、ビルプレス本体１２１の移動方向に対し直交方向に広がる板状の弾性部材である。
【００７３】
一対の押圧部１２２は、それぞれが、図１２に示すように対応する弾性部１２４の底面１４５とは反対側に貼着されて段差部１４３に収容されるように配置されている。よって、押圧部１２２は、紙幣Ｂの長辺延在方向に離間して一対設けられている。そして、これら一対の押圧部１２２の間に面部１４１を含む凸状部１４２が配置されている。
【００７４】
押圧部１２２は、ビルプレス本体１２１における長手方向の中央側の端縁部１２２ａが、段差本体部１４６の凸状部１４２側の端縁部１４６ａに当接しており、端縁部１２２ａとは反対側の端縁部１２２ｂが弾性部１２４の端縁部１２４ｂよりも凸状部１４２とは反対側の外側に配置されている。弾性部１２４は、押圧部１２２の面部１４１側の一部を部分的に段差部１４３に連結している。具体的に、弾性部１２４は、押圧部１２２の面部１４１側の略半分の範囲を段差部１４３に連結している。言い換えれば、押圧部１２２に部分的に弾性部１２４が設けられており、押圧部１２２の裏側の略半面、具体的にはビルプレス６１に載置された紙幣Ｂの長辺延在方向の中央に近い片側のみに弾性部１２４が設けられている。
【００７５】
押圧部１２２は、板状であって、図１０に示すように、平坦な押圧面１６１を有する主板部１６２と、押圧面１６１の一端縁部から押圧面１６１に対して傾斜して延出する傾斜面１６３を有する傾斜板部１６４と、傾斜板部１６４の主板部１６２とは反対側の端縁部から主板部１６２に垂直をなして突出する先端板部１６５とを有している。一対の押圧部１２２は、それぞれの主板部１６２が、図１１に示すようにビルプレス本体１２１の移動方向に対し直交方向に広がる状態で弾性部１２４の、図６に示す蹴出ローラ７５側に配置されている。押圧部１２２は、主板部１６２の裏面が弾性部１２４へ例えば両面テープで貼着されている。
【００７６】
押圧部１２２は、主板部１６２が段差本体部１４６に対向して段差本体部１４６に対し近接および離間可能である。また、押圧部１２２は、図１２に示すように傾斜板部１６４が凹状部１４７に対向して凹状部１４７に対し進退可能であり、先端板部１６５が貫通穴１４８に対向して貫通穴１４８に対し進退可能となる。押圧部１２２は、主板部１６２が段差本体部１４６の底面１４５に近づくと、傾斜板部１６４が凹状部１４７に入り込み、あるいは入り込み量を増大させ、先端板部１６５が貫通穴１４８に入り込み、あるいは入り込み量を増大させる。
【００７７】
押圧部１２２は、全体的に弾性変形可能な弾性部１２４を介してビルプレス本体１２１に設けられることでビルプレス本体１２１に揺動可能となっている。押圧部１２２は、弾性部１２４の付勢力で、底面１４５から主板部１６２が離間する方向の離間限度位置に位置している。押圧部１２２は、押圧されると弾性部１２４の付勢力に抗して主板部１６２が底面１４５に近接する。
【００７８】
一対の押圧部１２２は、弾性部１２４の付勢力で、図１０に示すように離間限度位置に位置するとき、それぞれの押圧面１６１が凸状部１４２の面部１４１と面一状になり、それぞれの傾斜面１６３が、ビルプレス本体１２１の前方傾斜面１４９と面一状になる。一対の押圧部１２２は、離間限度位置に位置する状態から、それぞれが単独で、弾性部１２４を弾性変形させながら段差部１４３の底面１４５に近づく。すなわち、ビルプレス６１は、蹴出ローラ７５を受けるビルプレス本体１２１の凸状部１４２よりも紙幣Ｂの長辺延在方向の両外側の一対の押圧部１２２が、任意に沈み込むように構成されている。
【００７９】
ここで、紙幣Ｂは、一定厚さの紙に印刷が施されて長方形状に形成されている。例えば、ルーブル紙幣およびユーロ紙幣等の紙幣Ｂでは、図１３に示すように、紙に印刷が施された紙幣本体２０１に、金属製の帯状の薄いホログラムであるセキュリティスレッド２０２が貼られている。このセキュリティスレッド２０２は、紙幣本体２０１の短辺側に、短辺に平行に貼られている。紙幣Ｂは、図１４に示すように、紙幣本体２０１にセキュリティスレッド２０２が貼られた部分の厚さの方が、紙幣本体２０１にセキュリティスレッド２０２が貼られていない部分の厚さよりも厚くなっている。
【００８０】
一対の押圧部１２２は、図１２に示すように、ビルプレス６１に載置された紙幣Ｂの長辺延在方向において、セキュリティスレッド２０２の全幅と位置が重なり合うように設けられている。また、一対の弾性部１２４も、ビルプレス６１に載置された紙幣Ｂの長辺延在方向において、セキュリティスレッド２０２の全幅と位置が重なり合うように設けられている。すなわち、ビルプレス６１に載置された紙幣Ｂの左右方向一側に配置されたセキュリティスレッド２０２は、紙幣Ｂの長辺延在方向において、この一側に設けられた弾性部１２４および押圧部１２２と位置を全幅重ね合わせることになる。ビルプレス６１に載置された紙幣Ｂの左右方向他側に配置されたセキュリティスレッド２０２は、紙幣Ｂの長辺延在方向において、この他側に設けられた弾性部１２４および押圧部１２２と位置を全幅重ね合わせることになる。
【００８１】
セキュリティスレッド２０２を有する紙幣Ｂが、例えば表裏および天地の向きを揃える等することで、ある程度セキュリティスレッド２０２が紙幣Ｂの長辺延在方向の同側に偏った状態で集積されると、セキュリティスレッド２０２が多い側の集積部分と、セキュリティスレッド２０２が少ない側の集積部分とで、集積紙幣ＢＢの集積厚さが異なることになる。また、紙幣Ｂの長辺延在方向の中央部は、セキュリティスレッド２０２がない状態になる。特に同一金種の紙幣Ｂが同一の表裏および天地の向きで多数枚重ねた集積状態になっていると、セキュリティスレッド２０２の厚みが重なった部分が他の部分よりも高くなり易い。
【００８２】
ここで、平面状の角度一定のビルプレスで集積紙幣を下から押し上げて少なくとも左右一対ある蹴出ローラに押し付けて摩擦力を確保し、蹴出ローラで紙幣を蹴り出し、繰出ローラと分離ローラとを有する繰出部を経由して搬送路へ送り込む構成では、セキュリティスレッドが貼り付けられている集積状態にある紙幣を一枚ずつ取り込ませる場合に、集積紙幣の左右の高さに差異が生じると、セキュリティスレッドが多数重なった部分ではない他の箇所については、ビルプレスでの押し付け効果が弱まり、蹴出ローラへの押し付け力が小さくなってしまう。
【００８３】
これに加えて、紙幣取り込み時に、セキュリティスレッドをビルプレスと天井面とで挟んでしまうため、蹴出ローラで搬送路へ送り込む時の抵抗にもなる。これらの要因から、取り込む紙幣に斜行を発生し、取り込み不良（ジャム）を発生する可能性がある。例えば、海外紙幣を同一方向に揃えて１００枚以上積み重ねると、斜行が発生する可能性が高くなる。
【００８４】
投入部１１から紙幣Ｂを入金搬送路２１Ａに繰り出す、上記した入金処理等を行う場合、紙葉類処理装置１０は、図示略の制御部が、投入部１１の開口部５１を閉塞していたシャッタ６４を回動させて開口部５１を開放する。そして、開口部５１を介して、集積紙幣ＢＢが、例えば、セキュリティスレッド２０２が多い側の集積部分が右側となる状態でビルプレス６１に載置される。すると、図示略のセンサの投入部１１への紙幣Ｂの投入の検知に基づいて、制御部が、シャッタ６４を回動させて開口部５１を閉塞した後、図示略のビルプレス駆動部でビルプレス６１のビルプレス本体１２１を、蹴出ローラ７５を含む取込機構部５２に向けて移動させる。
【００８５】
すると、ビルプレス本体１２１の凸状部１４２の面部１４１が集積紙幣ＢＢの長辺延在方向の中央を、一対の蹴出ローラ７５と、一対の蹴出ローラ７５の間の天井面７１とに押し付けることになる。
【００８６】
また、集積紙幣ＢＢのセキュリティスレッド２０２が多い右側部分を、右側の押圧部１２２が、この部分から受ける反力で弾性部１２４を弾性変形させながら面部１４１よりも底面１４５側に移動して中央との厚さの差を吸収しつつ、弾性部１２４の付勢力で天井面７１に押し付けることになる。
【００８７】
また、集積紙幣ＢＢのセキュリティスレッド２０２が少ない左側部分を、左側の押圧部１２２が、この部分から受ける反力で弾性部１２４を弾性変形させながら面部１４１よりも底面１４５側に移動して中央との厚さの差を吸収しつつ、弾性部１２４の付勢力で天井面７１に押し付けることになる。
【００８８】
このように、集積紙幣ＢＢの厚さに応じた量、押圧部１２２が面部１４１に対し沈み込むことにより、ビルプレス６１でセキュリティスレッド２０２に起因した集積紙幣ＢＢの高さ違いを吸収しつつ集積紙幣ＢＢの全体を押圧する。
【００８９】
この状態で、制御部は、繰出駆動部で蹴出ローラ７５および繰出ローラ７６を駆動する。すると、蹴出ローラ７５が集積紙幣ＢＢのうちの蹴出ローラ７５に当接する最も蹴出ローラ７５側の紙幣Ｂを繰出ローラ７６に向け蹴り出すことになり、繰出ローラ７６および分離ローラ７７が蹴り出された紙幣Ｂを一枚ずつ入金搬送路２１Ａに繰り出すことになる。そして、蹴出ローラ７５が所定の間隔で紙幣Ｂを蹴り出すことで、集積紙幣ＢＢの紙幣Ｂが１枚ずつ入金搬送路２１Ａに繰り出されることになる。
【００９０】
このような紙幣Ｂの順次の繰り出しで集積紙幣ＢＢの厚さが徐々に減少すると、制御部は、集積紙幣ＢＢの厚さに応じてビルプレス本体１２１を取込機構部５２に向けて移動させることになり、ビルプレス本体１２１の面部１４１が、集積紙幣ＢＢの長辺延在方向の中央を、一対の蹴出ローラ７５と、一対の蹴出ローラ７５の間の天井面７１とに押し付ける状態を維持することになる。
【００９１】
また、集積紙幣ＢＢのセキュリティスレッド２０２が多い右側部分を、右側の押圧部１２２が、この部分から受ける反力で弾性部１２４を弾性変形させながら面部１４１よりも底面１４５側に位置し、徐々に小さくなる中央との厚さの差を吸収しつつ、弾性部１２４の付勢力で天井面７１に押し付けることになる。
【００９２】
また、集積紙幣ＢＢのセキュリティスレッド２０２が少ない左側部分を、左側の押圧部１２２が、この部分から受ける反力で弾性部１２４を弾性変形させながら面部１４１よりも底面１４５側に位置し、徐々に小さくなる中央との厚さの差を吸収しつつ、弾性部１２４の付勢力で天井面７１に押し付けることになる。
【００９３】
以上により、ビルプレス６１は、その一対の蹴出ローラ７５を受ける中央部が平面状の面部１４１であり、一対の蹴出ローラ７５の両外側の押圧部１２２が、セキュリティスレッド２０２が配置された側を押圧するときに沈み込み、紙幣枚数が少なくなるか完全に無くなると中央部と同じ高さに復帰する構造となっている。また、押圧部１２２の沈み込み量は紙幣の量とセキュリティスレッド２０２の位置によって柔軟に変化するように構成される。特にセキュリティスレッド２０２の重なった部分が左右一対の蹴出ローラ７５の外側にくると斜行が発生する傾向があり、ビルプレス６１の外側部位であって、蹴出ローラ７５を受ける凸状部１４２より外側部位の一対の押圧部１２２が任意に沈み込むように構成した。
【００９４】
ここで、硬貨やクリップ等の、紙幣以外の異物が、投入部１１に混入した場合、支持部５５に形成された異物落下孔９０から落下して受入空間１１５から排除される。異物落下孔９０から落下した異物は、異物シュート６２で案内されて受皿６３に収容され、受皿６３とともに外部に取り出されて回収される。
【００９５】
以上に述べた本実施形態によれば、ビルプレス６１で集積紙幣ＢＢを蹴出ローラ７５に押圧する際に、ビルプレス本体１２１を蹴出ローラ７５に近づけると、ビルプレス本体１２１の蹴出ローラ７５側に設けられた押圧部１２２が集積紙幣ＢＢに当接して集積紙幣ＢＢを蹴出ローラ７５側に押圧する。その際に、集積紙幣ＢＢに部分的な厚みの差があっても、それに応じて弾性部１２４が変形して、この部分的な厚みの差を吸収することになる。よって、押圧部１２２が集積紙幣ＢＢに良好に当接して集積紙幣ＢＢを良好に押圧することになる。これにより、紙幣Ｂの斜行の発生を抑制でき、取り込み不良の発生を抑制することが可能となる。したがって、紙幣Ｂを安定して内部に取り込むことができる。
【００９６】
しかも、移動するビルプレス本体１２１に押圧部１２２を移動可能に設けて、この押圧部１２２を弾性部１２４で付勢する構造であるため、構造の簡素化が図れ、コスト増の抑制が図れる。
【００９７】
また、ビルプレス本体１２１の蹴出ローラ７５側に設けられた面部１４１と、ビルプレス本体１２１のこの面部１４１よりも凹む段差部１４３に設けられた押圧部１２２とで、集積紙幣ＢＢを蹴出ローラ７５側に押圧する。よって、例えば、集積紙幣ＢＢの厚い部分を押圧部１２２で、薄い部分をビルプレス本体１２１の面部１４１で押圧することによって押圧力の部分差を抑制することが可能になる。これにより、取り込み不良の発生を一層抑制することが可能となる。
【００９８】
また、押圧部１２２は、集積紙幣ＢＢを蹴出ローラ７５側に押圧しない状態では、押圧面１６１が弾性部１２４の付勢力で面部１４１と面一状になるため、集積紙幣ＢＢに厚さの部分差が少ない場合についても、押圧力の部分差を抑制することが可能になる。
【００９９】
また、蹴出ローラ７５に対する位置が安定しているビルプレス本体１２１の面部１４１の範囲内に蹴出ローラ７５が入り込む凹部１５１を設けているため、ビルプレス本体１２１の凹部１５１と蹴出ローラ７５とで紙幣Ｂを円滑に蹴り出すことができる。
【０１００】
また、紙幣Ｂの長辺延在方向に離間して一対設けられた押圧部１２２で紙幣Ｂの長辺延在方向の両側を押圧し、これらの間のビルプレス本体１２１の面部１４１で紙幣Ｂの長手方向の中間部を押圧することができる。したがって、集積紙幣ＢＢにおいて厚い部分が紙幣Ｂの長辺延在方向の端部側に生じ易い場合に、取り込み不良の発生を効果的に抑制することが可能となる。
【０１０１】
また、弾性部１２４が、ビルプレス本体１２１の移動方向に対し直交方向に広がる板状の弾性部材であり、押圧部１２２が、板状であって、ビルプレス本体１２１の移動方向に対し直交方向に広がる状態で弾性部１２４の蹴出ローラ７５側に配置されているため、駆動源を持たず、より簡素な構造になり、コスト増の一層の抑制が図れる。
【０１０２】
また、押圧部１２２に部分的に弾性部１２４が設けられているため、押圧部１２２の傾斜を調整することができる。具体的には、押圧部１２２の裏側に略半面だけ弾性部１２４を入れている。この場合、例えば、所定の種類の集積紙幣ＢＢの全てのセキュリティスレッド２０２を重ねた状態とすると、押圧部１２２は、セキュリティスレッド２０２の位置に当接して沈み込む際に傾く。このときの押圧部１２２の傾きは、紙幣Ｂの長辺延在方向において蹴出ローラ７５よりも外側へ向かって直線的に下がるようになる。この場合、セキュリティスレッド２０２の位置より、紙幣Ｂの長辺延在方向における蹴出ローラ７５よりも外側部位の紙幣Ｂは潰されず抵抗にならない。セキュリティスレッド２０２の位置では適度に押圧部１２２が沈んでおり、このように押圧部１２２が沈むことで紙幣Ｂの蹴出ローラ７５とは反対側の面を略均一に支えるため、集積状態の紙幣Ｂの姿勢が崩れず、安定した状態を保つ。この状態で取り込みを開始すると、紙幣Ｂを斜行させずに安定して取り込むことができる。なお、紙幣Ｂの種類等に応じて、押圧部１２２に部分的に設ける弾性部１２４の位置を調整することができる。
【０１０３】
また、ビルプレス６１の押圧部１２２の可動量（沈み込み量）は集積紙幣ＢＢの量とセキュリティスレッド２０２の位置により外力に応じて変化するので、セキュリティスレッド２０２の位置の影響や紙幣サイズに影響を受けにくい。したがって紙幣Ｂの種類（金種）を問わず、安定して取り込みが可能となる。
【０１０４】
以上においては、弾性部１２４が、押圧部１２２の面部１４１側の一部を段差部１４３に連結する場合を例にとり説明したが、押圧部１２２を全面的に段差部１４３に連結するようにしても良い。この場合、例えば、集積紙幣ＢＢの全てのセキュリティスレッド２０２を重ねた状態とすると、押圧部１２２は、セキュリティスレッド２０２の位置に当接して沈み込む際に傾く。このときの押圧部１２２の傾きは、紙幣Ｂの長辺延在方向において蹴出ローラ７５よりも内側へ向かって直線的に下がるようになる。この場合、セキュリティスレッド２０２の位置より、紙幣Ｂの長辺延在方向において蹴出ローラ７５よりも外側部位で押圧部１２２が持ち上っている。
【０１０５】
また、以上においては、紙幣Ｂを投入部１１の載置板としてのビルプレス６１へ集積状態でセットし、最上方にある紙幣から一枚ずつ装置内へ取り込む方式を例にとり説明したが、本願発明は、この方式に限定されずに、集積状態にある紙幣の最下方にある紙幣から一枚ずつ装置内へ取り込む方式の装置でも実施可能である。すなわち、この場合は、集積状態にある紙幣を上側から下向きに押さえる札押え板としてのビルプレスの紙幣当接面側に面部１４１および押圧部１２２を配置する。
【０１０６】
また、以上においては、紙葉類として紙幣を処理する紙葉類処理装置１０を例にとり説明したが、紙幣以外の、有価証券、金券等の、種々の紙葉類を処理する装置に適用可能である。
【符号の説明】
【０１０７】
１０  紙葉類処理装置
６１  ビルプレス
７５  蹴出ローラ
１２１  ビルプレス本体
１２２  押圧部
１２４  弾性部
１４１面部
１４３  段差部
１５１  凹部
２００  紙幣（紙葉類）
【図１】
2019128896.tif 000003
【図２】
2019128896.tif 000004
【図３】
2019128896.tif 000005
【図４】
2019128896.tif 000006
【図５】
2019128896.tif 000007
【図６】
2019128896.tif 000008
【図７】
2019128896.tif 000009
【図８】
2019128896.tif 000010
【図９】
2019128896.tif 000011
【図１０】
2019128896.tif 000012
【図１１】
2019128896.tif 000013
【図１２】
2019128896.tif 000014
【図１３】
2019128896.tif 000015
【図１４】
2019128896.tif 000016